(57)【要約】  【課題】  コンタクトガラスの保守性を向上させることのできる画像読取装置および画像形成装置を提供する。  【解決手段】  ディジタル複写機１に、コーティング処理済みのコンタクトガラス５４と、コンタクトガラス５４上に原稿を搬送するＡＤＦと、コンタクトガラス５４の下方から原稿の画像を読み取るスキャナと、コンタクトガラス５４を移動する移動機構（ラックセンサ３０３、ラック３０１、ピニオン３００、ピニオン駆動モータ３０７など）と、を備え、シートスルー方式で原稿を読み取るとき、コンタクトガラス５４と原稿とが、予めコンタクトガラス５４上に設定された複数の接触領域のいずれかで接触するようにし、コンタクトガラス５４と原稿とが接触してコーティング剤が払拭されたときには、上記移動機構がコンタクトガラス５４を移動する。【選択図】  図５
2005260547.tif 000002
【特許請求の範囲】
【請求項１】
コーティング剤によって表面が被覆されたコンタクトガラスと、該コンタクトガラス上に原稿を搬送する搬送手段と、コンタクトガラスの下方から原稿の画像を読み取る読取手段と、コンタクトガラスを移動する移動手段と、を備え、読取手段を固定して、コンタクトガラス上に原稿を搬送しながら原稿の画像を読み取るとき、コンタクトガラスと原稿とが、予めコンタクトガラス上に設定された複数の接触領域のいずれかで接触するようにした画像読取装置において、
コンタクトガラスと原稿とが接触して接触領域のコーティング剤が払拭されたとき、コンタクトガラスと原稿とが当該接触領域を除く、複数の接触領域のいずれかで接触するよう、移動手段を制御する移動制御手段を備えたことを特徴とする画像読取装置。
【請求項２】
請求項１に記載の画像読取装置において、
コンタクトガラスと原稿との接触回数を計数する計数手段を備え、
該計数手段によって計数された接触回数により、移動制御手段が移動手段を制御してコンタクトガラスを移動させるようにしたことを特徴とする画像読取装置。
【請求項３】
請求項２に記載の画像読取装置において、
計数手段には、一の接触領域における接触回数を計数する第１の計数手段と、該第１の計数手段の計数結果を用いて移動回数を計数する第２の計数手段と、を備えたことを特徴とする画像読取装置。
【請求項４】
請求項１に記載の画像読取装置において、
コンタクトガラスの移動量が、コンタクトガラスと原稿との移動前の接触領域と移動後の接触領域とが重畳しないように設定されたことを特徴とする画像読取装置。
【請求項５】
請求項２に記載の画像読取装置において、
コンタクトガラスの交換時期を報知する報知手段と、コンタクトガラスと原稿との接触回数が、複数の接触領域の全てで所定の回数に達したとき、報知手段を制御してコンタクトガラスの交換時期を報知させる報知制御手段と、を備えたことを特徴とする画像読取装置。
【請求項６】
請求項１から請求項５のいずれか１項に記載の画像読取装置を画像読取手段として備えたことを特徴とする画像形成装置。
【発明の詳細な説明】
【技術分野】
【０００１】
本発明は、ファクシミリ、スキャナ、コピー機、複合機などに適用される画像読取装置および画像形成装置に関するものである。
【背景技術】
【０００２】
従来の画像読取装置は、コンタクトガラスを移動する移動手段と、撥水コート処理剤又は低摩擦処理剤を浸透させたコンタクトガラス清掃用の清掃手段と、を備え、いわゆるシートスルー方式で読取部を固定し、原稿を副走査方向に搬送しながら読み取るとき、読取部とコンタクトガラス上の読取位置とを相対的に移動させ、清掃手段によってコンタクトガラス上面を清掃するとともに、コンタクトガラス上面を撥水コート処理剤又は低摩擦処理剤によってコーティングするようにしている（例えば、特許文献１参照）。
【０００３】
なお、シートスルー方式によると、原稿がコンタクトガラスに接触しながらコンタクトガラス上の読取位置を通過するので、原稿の画像面側に付いた粉塵などの異物がコンタクトガラスに付着する。この異物がコンタクトガラス上の読取位置に付着すると、読み取った画像信号にその影響が現れ、画像を劣化させる。具体的には、付着した異物を読み取ることで、副走査方向に連続する線分が画像形成され、いわゆる黒スジが発生することになる。上述した異物は、さらに浮遊系異物と粘着系異物とに大別される。浮遊系異物は埃、紙粉、トナーなどであり、粘着系異物は、原稿に付着した糊がコンタクトガラスに付着し、原稿を通紙することによって、さらに原稿に付着しているトナーが、上記糊に付着、堆積したものである、と考えられる。よって、浮遊系異物は、原稿をコンタクトガラスに接触させて搬送することで除去できる。また、粘着系異物は、コンタクトガラスにコーティング処理を施すことで付着防止できる。
【特許文献１】特開２００１−２７２８２９号公報（第４頁右下段〜第６頁右上段、第２図、第４図など）
【発明の開示】
【発明が解決しようとする課題】
【０００４】
しかしながら、従来の画像読取装置においては、原稿がコンタクトガラスに接触する回数が増すにつれて、撥水コート処理剤、低摩擦処理剤などのコーティング剤が払拭されてしまい、粘着系異物の付着を防止する作用が期待できなくなるという点について配慮がなされていなかった。
【０００５】
本発明は、従来の問題を解決するためになされたもので、コンタクトガラスの保守性を向上させることのできる画像読取装置および画像形成装置を提供することを目的とする。
【課題を解決するための手段】
【０００６】
上記課題を解決するために、請求項１に係る本発明の画像読取装置は、コーティング剤によって表面が被覆されたコンタクトガラスと、該コンタクトガラス上に原稿を搬送する搬送手段と、コンタクトガラスの下方から原稿の画像を読み取る読取手段と、コンタクトガラスを移動する移動手段と、を備え、読取手段を固定して、コンタクトガラス上に原稿を搬送しながら原稿の画像を読み取るとき、コンタクトガラスと原稿とが、予めコンタクトガラス上に設定された複数の接触領域のいずれかで接触するようにした画像読取装置において、コンタクトガラスと原稿とが接触して接触領域のコーティング剤が払拭されたとき、コンタクトガラスと原稿とが当該接触領域を除く、複数の接触領域のいずれかで接触するよう、移動手段を制御する移動制御手段を備えた構成を有している。
【０００７】
また、請求項２に係る本発明の画像読取装置は、請求項１において、コンタクトガラスと原稿との接触回数を計数する計数手段を備え、該計数手段によって計数された接触回数により、移動制御手段が移動手段を制御してコンタクトガラスを移動させるようにした構成を有している。
【０００８】
また、請求項３に係る本発明の画像読取装置は、請求項２において、計数手段には、一の接触領域における接触回数を計数する第１の計数手段と、該第１の計数手段の計数結果を用いて移動回数を計数する第２の計数手段と、を備えた構成を有している。
【０００９】
また、請求項４に係る本発明の画像読取装置は、請求項１において、コンタクトガラスの移動量が、コンタクトガラスと原稿との移動前の接触領域と移動後の接触領域とが重畳しないように設定された構成を有している。
【００１０】
また、請求項５に係る本発明の画像読取装置は、請求項２において、コンタクトガラスの交換時期を報知する報知手段と、コンタクトガラスと原稿との接触回数が、複数の接触領域の全てで所定の回数に達したとき、報知手段を制御してコンタクトガラスの交換時期を報知させる報知制御手段と、を備えた構成を有している。
【００１１】
さらに、請求項６に係る本発明の画像形成装置は、請求項１から請求項５のいずれか１項に記載の画像読取装置を画像読取手段として備えた構成を有している。
【発明の効果】
【００１２】
本発明は、コンタクトガラスと原稿とが接触してコーティング剤が払拭されたとき、コンタクトガラスを複数の接触領域のいずれかに移動させるよう、移動手段を制御する移動制御手段を設けることにより、コーティング剤が粘着系異物の付着を防止するという作用を持続できるという効果を有する画像読取装置および画像形成装置を提供することができる。
【発明を実施するための最良の形態】
【００１３】
以下、本発明の好ましい実施形態を図面を用いて説明する。
【００１４】
本発明に係る画像読取装置および画像形成装置をディジタル複写機に適用した実施の一形態を図１に示す。
【００１５】
図１において、ディジタル複写機１の本体１ａ上面には、コンタクトガラス５４が副走査方向に移動可能に装着されている（図３、図４、図５に示す）。このコンタクトガラス５４の表面には、例えば、コーティング剤としての界面活性剤（例えば、シリコン系界面活性剤など）によるコーティング処理が施されている。このコーティング処理は、コンタクトガラス表面に原稿から異物（例えば、原稿に付着している糊や修正液、インクなど）が転移して付着するのを防止するためである。同じく、本体１ａ上部（ここでは、コンタクトガラス５４の上）には、自動原稿搬送装置（以下「ＡＤＦ」ともいう）３が図示しないヒンジ機構を介して設けられ、ＡＤＦ３は、コンタクトガラス５４に対して開閉自在てなっている。また、ＡＤＦ３は、原稿テーブル１０（図２に示す）に載置された複数のシート状の原稿からなる原稿束１３から取り出した原稿を１枚ずつ分離し、コンタクトガラス５４上に搬送し、読み取り後の原稿を排紙スタッカ９０又は小サイズ専用スタッカ９１（図２に示す）に排紙するように構成されている。
【００１６】
一方、本体１ａのコンタクトガラス５４の下方には、図示しない露光ランプ、ミラー、レンズ、電荷結合素子（ＣＣＤ）からなるイメージセンサ、などを有するスキャナ１２１が設けられ、コンタクトガラス５４上に原稿を搬送しながら原稿の画情報を読み取る場合には、スキャナ１２１は、コンタクトガラス５４下方から読み取るように構成されている。
【００１７】
また、スキャナ１２１によって読み取られた原稿の画情報は、画像データとして本体制御部１１１（図６に示す）に出力され、本体制御部１１１は、入力された画像データを書き込み光学系２００によって画像形成部２０１を構成する感光体ドラム２０２に書き込んで静電潜像を形成させ、画像形成部２０１を構成する帯電部２０３、露光部２０４、現像部２０５によって感光体ドラム２０２上に可視トナー像を形成させるようにしている。
【００１８】
一方、本体制御部１１１の制御で、転写給紙系２０６から給紙された転写紙が、画像形成動作に合わせて画像形成部２０１に搬送され、画像形成部２０１を構成する転写部２０７によって、転写紙の第１面にトナー（トナー像）が転写され、さらに定着系２０８によってトナーが定着された後、転写反転排紙部２０９に搬送されるように構成されている。
【００１９】
ここで、転写反転排紙部２０９における経路Ａは、ディジタル複写機１外に転写紙を直ちに排紙するための経路であり、経路Ｂは、転写反転排紙部２０９内で転写紙を反転して機外に排紙するための経路である。さらに、経路Ｃは、転写反転排紙部２０９内で転写紙を反転し、両面トレイにおいてその転写紙を再給紙後、上述の画像形成プロセスを経てその転写紙の第２面にトナー像が転写、定着された後、その転写紙を経路Ａにて機外に排紙するための経路である。
【００２０】
次に、上述したＡＤＦ３の詳細な構成を図２に示す。
【００２１】
図２において、ＡＤＦ３は、読み取り対象の原稿束１３をセットする原稿セット部Ｐ１と、セットされた原稿束１３から１枚ずつ原稿を分離して給送する分離給送部Ｐ２と、給送された原稿を１次突き当て整合するとともに、整合後の原稿を引き出して搬送するレジスト部Ｐ３と、搬送される原稿を反転させて、原稿面を読み取り側（ここでは、下方）に向けて搬送する反転部Ｐ４と、原稿を搬送し、コンタクトガラス５４の下方より、その表面画像を読み取らせる第１読取搬送部Ｐ５と、表面読み取り後の原稿の裏面画像を読み取る第２読取搬送部Ｐ６と、表裏の読み取りが完了した原稿を機外又は、反転部Ｐ４に送り込む排紙部Ｐ７と、再読み取りのために原稿をスイッチバック搬送するのスイッチバック部Ｐ８と、読み取り完了後の原稿を積載保持するスタック部Ｐ９と、これら搬送動作の駆動を行う駆動部（図６の１０１〜１０５に相当する）と、一連の搬送動作を制御するコントローラ１００（図６に示す）と、を有する構成である。
【００２２】
原稿セット部Ｐ１において、原稿テーブル１０は、原稿束１３を原稿面が下向きになるように、所定位置（ここでは、原稿先端がストッパ２５に突き当たる位置）に載置するためのものである。また、原稿テーブル１０は、回転支点１５を中心に上方に回転待避できるように構成されている。この構成により、スタック原稿を容易に取り出すことができる。サイドガイド１１は、原稿束１３を載置するとき、幅方向（搬送方向と直交する方向）の位置決めを行うためのものである。原稿長さセンサ１２、１４は、反射型センサ、又は原稿１枚にても検知可能なアクチェーター・タイプのセンサからなり、原稿テーブル面に少なくとも同一原稿サイズの縦か横かが判断可能なように配置されている。この配置により、原稿テーブル１０の所定位置に載置された原稿束１３又は原稿の搬送方向長さの概略を判定するようにしている。原稿セットフィラー２１は、原稿テーブル１０に原稿束１３が載置されたとき、破線位置から実線位置に変位するものである。原稿セットセンサ２８は、非原稿セット時に原稿セットフィラー２１によって遮光されており、原稿セット時には、原稿セットフィラー２１の変位によって遮光解除され、原稿セットを検知するものである。なお、原稿セット時には、原稿セットセンサ２８からインタフェース１０７（図６に示す）を介してコントローラ１００に対し、原稿セット信号が送信される。ストッパ２５は、給紙前の原稿セット時に、破線位置にあって分離給送部Ｐ２に対する原稿の進入を阻止し、給紙動作時には、呼出モータ１０１の正転（ＣＷ）駆動で破線位置から実線位置に移動し、原稿先端を開放するものである。
【００２３】
分離給送部Ｐ２において、ピックアップローラ２０は、非給紙動作時には破線位置にあり、給紙動作時には、呼出モータ１０１の逆転駆動で破線位置から実線位置に移動し、原稿束１３の上面に圧接するものである。また、ピックアップローラ２０は、上述のように破線位置から実線位置に移動した後、給紙モータ１０２の駆動で原稿束１３の最上紙を取り出すものである。ホームポジションセンサ１９は、ピックアップローラ２０およびストッパ２５の状態を検知するものである。給紙ベルト２３は、ベルトプーリ２２、２４に所定の張力で掛け渡され、対向配置された分離ローラ２６に巻き掛けられるように圧接している。分離ローラ２６は、所定の大きさのトルクを有するトルクリミッタ（図示せず）を介して、フリクション駆動されており、給紙ベルト２３との直接系合時又は原稿１枚を介して係合している状態では、給紙ベルト２３の回転に連れて反時計方向に回転するようにしている。また、万が一、２枚以上の原稿が給紙ベルト２３と分離ローラ２６との間に進入した場合には、分離ローラ２６が本来の駆動方向である時計方向に回転し、余分な原稿を押し戻して重送を防止するよう、分離ローラ２６の連れ回り力がトルクリミッタのトルクよりも低くなるように設定されている。突き当てセンサ２９は、１枚に分離された原稿が、給紙ベルト２３の駆動で給紙路２７を進む過程で原稿先端を検知するものである。
【００２４】
レジスト部Ｐ３において、プルアウト駆動ローラ３１は、１枚に分離された原稿が、突き当てセンサ２９の先端検知から所定量搬送された後、停止状態から給紙モータ１０２の逆転で駆動され、原稿を反転部Ｐ４へと搬送するようにしている。なお、プルアウト駆動ローラ３１およびプルアウト従動ローラ３０からなるプルアウトローラ対は、停止時に、１枚に分離された原稿をニップに突き当てられることにより、原稿のスキューを補正するようにしている。原稿サイズセンサ３２は、１枚に分離された原稿の幅サイズ（搬送方向と直交する方向のサイズ）を検知するものである。この検知により、原稿サイズセンサ３２からコントローラ１００に対して幅信号が送信されるようにしている。なお、原稿サイズセンサ３２による幅信号と原稿長さセンサ１２、１４による長さ信号との組み合わせによって、正確な原稿サイズが確定され、コントローラ１００からインタフェース１０７を介して本体制御部１１１に対し、原稿サイズ信号が送信される。先端センサ３４は、プルアウトローラ対によって突き当て補正され、さらに搬送されてきた原稿の先端を検知するものである。加圧ローラ３５は、読取搬送ローラ４３に接して従動し、プルアウトローラ対によって搬送されてきた原稿を読取搬送ローラ４３とともにさらに搬送方向下流へと搬送するものである。読取搬送ローラ４３は、搬送方向に回転駆動され、レジストセンサ４０による原稿検知から所定パルス駆動された後に駆動停止されるものである。
【００２５】
反転部Ｐ４において、レジストセンサ４０は、読取搬送ローラ４３および加圧ローラ３５によって挟持搬送されてきた原稿を検知するものである。この検知により、レジストセンサ４０からコントローラ１００に対してレジスト信号が送信される。なお、コントローラ１００は、レジスト信号から所定時間経過した後（読取搬送ローラ４３により所定パルス搬送させた後）、搬送を停止させ、インタフェース１０７を介して本体制御部１１１に対し、レジスト停止信号を送信する。
【００２６】
第１読取搬送部Ｐ５において、読取入口ガイド４２は、反転部Ｐ４で反転された原稿をコンタクトガラス５４へと案内するものである。加圧ローラ４１は、読取搬送ローラ４３に接して従動し、読取搬送ローラ４３とともに原稿を挟持して読み取り搬送するものである。白色背景板５１は、コンタクトガラス５４と対向し、０．５mm±０．２mm程度のギャップを有しながら所定の弾力で圧接され、読み取り深度方向の誤差を抑制するものである。また、白色背景板５１は、画像読み取りのための白色基準となるものである。ピックアップガイド５２は、表面読み取り後の原稿を中間搬送加圧ローラ５３と読取搬送ローラ４３とのニップに案内するものである。中間搬送加圧ローラ５３は、読取搬送ローラ４３に接して従動し、読取搬送ローラ４３とともに表面読み取り後の原稿を第２読取搬送部Ｐ６へと搬送するものである。なお、第１読取搬送部Ｐ５においては、搬送ギャップをできる限り狭く設定し、原稿の自由度を極力少なくするために、読取入口ガイド４２の内面から可撓性のガイド部材を白色背景板５１方向に張り出して搬送ギャップを緩和する方法などが講じられている。また、可撓性のガイド部材を読取位置に対応する、コンタクトガラス５４と原稿との接触領域近傍まで張り出すことにより、接触領域では原稿面が積極的にコンタクトガラス５４に接触せず、かつ原稿先端が、コンタクトガラス５４上の読取位置付近をワイピング（先端でガラス面の異物を掻き落とす作用）するようにしている。
【００２７】
第２読取搬送部Ｐ６において、密着イメージセンサ６１は、表面読み取り後の原稿の裏面を読み取るものであり、読み取り面を下方に向けて配置されている。押圧部材６２は、密着イメージセンサ６１に原稿を押圧するものであり、密着イメージセンサ６１の読み取り面に所定の圧力をもって所定の間隔で配置されている。また、押圧部材６２は、シェーディング基準および白色背景板（５１に相当する）として作用する。なお、押圧部材６２は、板状のガイド部材で構成してもよいし、回転体で構成してもよい。
【００２８】
排紙部Ｐ７において、排紙センサ７０は、読み取り完了後の原稿を検知するものである。排紙反転駆動ローラ７１と排紙加圧ローラ７２とからなる排紙ローラ対は、読み取り完了後の原稿をスタック部Ｐ９へ排紙するものである。済スタンプ７３は、読み取り完了後の原稿の所定位置にマークを付けるものである。
【００２９】
スイッチバック部Ｐ８において、上反転ローラ８３は、排紙反転駆動ローラ７１に接して従動し、排紙反転駆動ローラ７１とともに読み取り後の原稿を挟持して反転経路８５側又はその反対のスイッチバック経路側へ搬送するものである。反転センサ８４は、反転経路８５側へ搬送される原稿の端部を検知するものである。反転切替爪８０は、読み取り後の原稿をスイッチバック経路へ搬送するか、スタック部Ｐ９へ排紙するかを切り替えるものである。また、反転切替爪８０の上面はスイッチバック経路の一部を形成している。スイッチバック駆動ローラ８１とスイッチバック従動ローラ８２とからなるスイッチバックローラ対は、読み取り後の原稿をスイッチバック搬送するとともに原稿端部（スイッチバック搬送方向の上流側端部）を保持するものである。
【００３０】
スタック部Ｐ９において、排紙スタッカ９０は、読み取り完了後の原稿を保持するためのものであり、その一部に、小サイズ専用スタッカ９１が形成されている。なお、排紙スタッカ９０のスタック面は、下流側に向かって高くなるように傾斜して形成されているために、排紙された原稿が機外に飛び出すことを防止し、スタック原稿の揃え精度を向上させるという効果が得られる。また、小サイズ専用スタッカ９１を形成することにより、排紙後の小サイズ原稿の視認性が良くなる。
【００３１】
次に、上述した本体１ａのコンタクトガラス５４の移動機構の詳細な構成を図３、図４、図５に示す。ここでは、ラックセンサ３０３、ラック３０１、ピニオン３００、ピニオン駆動モータ３０７（図６に示す）などが移動機構を構成している。
【００３２】
図３において、（ａ）は、ブラケット３０４に穿たれた矩形孔３０４ａにコンタクトガラス５４を取り付ける前の状態を示す。また、矩形孔３０４ａの縦横方向のサイズは、コンタクトガラス５４よりも小さくなるようにしている。また、ブラケット３０４には、本体１ａ側の位置止めピン３０６に係合するよう、２条の係合穴３０５ｃが穿たれている。さらに、ブラケット３０４の下面（ここでは、コンタクトガラス５４が取り付けられる面の背向面に相当する）には、ブラケット３０４を副走査方向に移動させるためのラック３０１（図４、図５に示す）が形成されている。（ａ）′は、ブラケット３０４に穿たれた矩形孔３０４ａにコンタクトガラス５４を取り付けた状態を示す。（ｂ）は、ブラケット３０４およびコンタクトガラス５４を被覆するスケール部材３０５を示す。このスケール部材３０５には、矩形孔３０４ａよりも縦横方向のサイズが小さくなるように、矩形孔３０５ａが穿たれている。この矩形孔３０５ａの長手方向の外縁には、読み取り後の原稿を掬い上げるようにガイド部３０５ｂが形成されている。また、スケール部材３０５には、本体１ａ側の位置止めピン３０６に嵌合するよう、複数の位置止め穴３０５ｃが穿たれている。（ｃ）は、ブラケット３０４およびスケール部材３０５が装着される、本体１ａ側の上部を示す。この本体１ａ側には少なくとも、上述したラック３０１と対向して噛合するピニオン３００と、このピニオン３００を回転させるためのピニオン駆動モータ３０７（図６に示す）と、ラック３０１の位置を検知するためのラックセンサ３０３と、本体１ａ側のスキャナ１２１と対向する所定位置にブラケット３０４およびスケール部材３０５を位置決めするための４つの位置止めピン３０６と、が設けられている。この４つの位置止めピン３０６は、２つがそれぞれ対向するよう、主走査方向に配置されている。
【００３３】
図４において、支持部材に取付けられたラックセンサ３０３は、例えば透過型フォトセンサを用いて構成され、ラック３０１が受光側を遮光することによりオン状態となるようにしている。なお、ラックセンサ３０３の検知情報は、ラック検知信号としてインタフェース１０６を介し、本体制御部１１１に送信される。
【００３４】
図５において、矢印５０１は原稿の搬送方向を示し、矢印５０２はコンタクトガラス５４が初期位置から移動する移動方向を示している。ブラケット３０４に取り付けられたコンタクトガラス５４は、初期位置に設定され、コンタクトガラス５４が初期位置にあるとき、ラックセンサ３０３はオン状態にある。この初期位置に設定するときは、例えば、ステッピングモータからなるピニオン駆動モータ３０７を駆動してピニオン３００を図中、時計方向に回転させることにより、ラックセンサ３０３がオフ状態になるまでラック３０１を搬送方向に移動させ、停止させる。次いで、ピニオン駆動モータ３０７を所定パルスだけ逆転駆動してピニオン３００を図中、反時計方向に所定量だけ回転させることにより、コンタクトガラス５４を上述した初期位置に移動させる。
【００３５】
次に、上述したディジタル複写機１の制御部の構成を図６に示す。
【００３６】
図６において、画像読取装置の本体１ａは、装置全体を制御する本体制御部１１１を備え、この本体制御部１１１は、インタフェース１０６を介して、上述したラックセンサ３０３から送信された信号を受信し、こうして受信、入力された信号が示す情報に基づいて、ピニオン駆動モータ３０７の駆動制御を行う。また、本体制御部１１１は、インタフェース１０７を介してＡＤＦ３のコントローラ１００から送信された信号を受信し、こうして受信、入力された信号が示す情報に基づいて、スキャナ１２１の駆動制御や操作表示部１１３における表示制御などを行うと共に、コントローラ１００に対し、モード信号や給紙開始信号（読み取りスタート信号）を含む各種制御信号を送信し、コントローラ１００に指示してＡＤＦ３の搬送動作、第２読取搬送部Ｐ６（密着イメージセンサ６１に相当する）の読取動作を制御する。特に、コントローラ１００からの接触回数情報（ここでは、原稿がコンタクトガラス５４を通過した回数）およびコンタクトガラス５４の移動回数情報に基づいて、操作表示部１１３における「コンタクトガラス５４の交換時期報知」の表示制御を行う。ここで、本体制御部１１１のＲＡＭ（図示せず）の所定領域には、操作表示部１１３から入力、設定された動作モードなどを更新可能に記憶し、その内容が変更される度に記憶内容が更新されることとなる。特に、本体制御部１１１には、第１のカウント値として「接触回数：同一接触領域で原稿がコンタクトガラス５４を通過した回数」をカウントする第１カウンタと、第２のカウント値として「移動回数：コンタクトガラス５４が副走査方向に所定距離ずつ移動した回数」をカウントする第２カウンタとを有し、それぞれのカウント値を上記ＲＡＭの所定領域に記憶するようにしている。なお、「原稿がコンタクトガラス５４を通過した回数」としては、例えば原稿がレジストセンサ４０（又は排紙センサ７０）を通過した回数を用いてもよい。ＡＤＦ３における接触領域近傍のセンサ通過回数を用いることにより、例えば、第２読取搬送部Ｐ６を具備しない構成においても確実に接触回数をカウントできる。また、コンタクトガラス５４を副走査方向に移動させる距離（所定距離）は、原稿がコンタクトガラス５４を通過するとき、コーティング剤を削り取る幅によって設定される。この幅として、例えば「２mm」が設定されたとき、コンタクトガラス５４の移動によって２mm幅の接触領域（読取位置に対応する）をｎ箇所設けることができ、コーティング剤の作用を保ちながら１箇所で接触可能な接触回数がｔ回であれば、コンタクトガラス５４を交換せずに原稿を通過させることのできる回数は「ｎ×ｔ回」となる。換言すれば、ｎ×ｔ回が経過したとき、コンタクトガラス５４の交換時期であることを報知すればよい。また、ｔの値は、一つの接触領域において、例えばコーティング剤が異物付着防止作用をなさない程度の面積範囲だけ払拭されたときの接触回数とし、コーティング剤の種類や接触領域の幅、あるいはＡＤＦ３の搬送経路の構成による原稿のコンタクトガラス５４への当接圧などに応じて設定する。
【００３７】
また、操作表示部１１３には、スタートボタンやテンキーなどの各種ボタンキーおよびＬＣＤ表示器など（図示せず）を有し、モードの設定や動作開始／停止指示がユーザの操作で可能なように構成されている。特に、コンタクトガラス５４の交換完了を通知するための交換完了通知ボタン（図示せず）を有し、使用者又はサービスマンなどが交換完了通知ボタンを押下するようにしている。なお、本実施形態では、少なくとも、ＡＤＦ３を閉じて原稿テーブル１０上の原稿束１３を自動搬送するＡＤＦモード、このＡＤＦモードで、原稿の片面を読み取り、複写する片面モード、原稿の両面を読み取り、複写する両面モード、混載された異なるサイズの原稿を読み取り、複写する混載モードを設定できるものとする。
【００３８】
また、ＡＤＦ３の動作を制御するコントローラ１００は、レジストセンサ４０、原稿セットセンサ２８、排紙センサ７０、反転センサ８４を含む各センサからの信号、呼出モータ１０１、給紙モータ１０２、読取モータ１０３、反転モータ１０４を含む各駆動モータからの状態信号、反転ソレノイド１０５からの状態信号、インタフェース１０７を介して本体制御部１１１から送信された制御信号（給紙開始信号など）などを入力する。また、コントローラ１００は、上記各センサの検知情報などを本体制御部１１１に送信すると共に、本体制御部１１１から送信される制御信号に基づいて、上述した駆動モータ１０１〜１０４、３０７、反転ソレノイド１０５などの駆動を制御する。
【００３９】
また、駆動モータ１０１〜１０４、３０７はいずれもステッピングモータから構成されているので、例えばパルス数をカウントし、１パルス当たりの駆動量を乗じることによって駆動量が容易に得られ、その駆動量と各センサの検出情報に基づき、原稿長さの検出を行うとともに、先行原稿と次原稿の搬送間隔（紙間）制御、レジスト検知後の読取位置到達タイミング制御、読取動作終了タイミング制御、コンタクトガラス５４の移動量制御などを行うことができる。
【００４０】
次に、ＡＤＦ３における第２読取搬送部Ｐ６の密着イメージセンサ６１の構成を図７に示す。
【００４１】
図７において、密着イメージセンサ６１は、原稿読み取り時の露光のための光源部（ＬＥＤ）４００と、原稿の画像面を読み取ってその情報を電気信号（アナログ信号）に光電変換するＣＣＤセンサチップ４０１と、上記アナログ信号を増幅する増幅器４０２と、増幅器４０２で増幅されたアナログ信号をディジタル信号に変換するアナログ・ディジタル変換回路（Ａ／Ｄ）４０３と、このＡ／Ｄ４０３で取得されたディジタル信号から画像データを生成する画処理部４０４と、画処理部４０４で生成された画像データを展開して蓄積するためのフレームメモリ４０５と、このフレームメモリ４０５に蓄積された画像データをインタフェース（Ｉ／Ｆ）回路４０７を介して本体制御部１１１に送出する出力制御回路４０６と、を有する構成である。この構成により、密着イメージセンサ６１は、ＡＤＦ側からのタイミング信号に従って露光処理を行い、取得した画像データを本体側に送信するようにしている。具体的には、コントローラ１００から密着イメージセンサ６１に対して電源を供給する。さらに、コントローラ１００は、本体制御部１１１から送信される信号に基づき、密着イメージセンサ６１に対して読取タイミングを示すタイミング信号（表面ＤＦゲートオン／オフ信号、裏面ＤＦゲートオン／オフ信号、など）を送出するとともに、ＬＥＤ４００を点灯／消灯させる。
【００４２】
以上のように構成されたディジタル複写機１について、図８〜図１４を用いてＡＤＦ３の読み取り搬送動作を説明する。ここで、原稿セット部Ｐ１の原稿テーブル１０に原稿束１３が載置された状態から、上述した分離給送部Ｐ２によって上面から原稿が取り出され、１枚の原稿が分離搬送されて、レジスト部Ｐ３のレジストセンサ４０によって検知された後、所定のレジスト位置に待機しており、コントローラ１００が本体制御部１１１からの読み取りスタート信号（転写紙との同期或いは画像メモリへの蓄積の準備が完了した時点で送信される信号）の入力を待っている状態にあるものとする。
【００４３】
まず、原稿束１３が同一サイズの場合、上記読み取りスタート信号の入力により、レジスト停止している原稿は読取モータ１０３の正転駆動によって回転する、読取搬送ローラ４３、加圧ローラ４１により反転部Ｐ４を経て第１読取搬送部Ｐ５に送り込まれる（Ｓ１０１〜Ｓ１０３）。ここで、読取モータ１０３の駆動速度は、操作表示部１１３から入力される読み取り倍率により、本体制御部１１１からコントローラ１００に送信される情報に基づいて決定される。
【００４４】
次いで、第１読取搬送部Ｐ５では、原稿がコンタクトガラス５４と白色背景板５１との間を搬送される。この間に原稿の画像がスキャナ１２１により読み取られ、ＣＣＤを介して電気信号に変換され、メモリ装置（図示せず）に記憶される。具体的には、原稿先端がスキャナ１２１の読取位置に到達するタイミングを、読取モータ１０３のパルスカウントにより制御し、そのタイミングで副走査方向の表面画像有効読み取り領域を示す表面ＤＦゲート信号を送信する(Ｓ１０４、Ｓ１０５)。ここで、原稿はさらに読み取り搬送され、ピックアップガイド５２を経て中間搬送加圧コロ５３に送り込まれる。加圧ローラ４１と中間搬送加圧コロ５３とは、読取搬送ローラ４３に従動するために、送り込みと引き出しの速度は同一の速度となり、受け渡しショックの発生を低減させる効果がある。
【００４５】
次いで、中間搬送加圧コロ５３によって第１読取搬送部Ｐ５から送り出された原稿は、第２読取搬送部Ｐ６に送り込まれ、上述した密着イメージセンサ６１と押圧部材６２との間を通過する。両面モードの場合（Ｓ１０６のＹＥＳ）、原稿先端が密着イメージセンサ６１に到達するタイミングを、レジストセンサ４０の先端検知からの搬送パルスカウントにより制御し、そのタイミングで裏面画像の有効読み取り領域を密着イメージセンサ６１へ送信する(Ｓ１０７、Ｓ１０８)。ここで、コントローラ１００からのタイミング信号に基づいて原稿の裏面に当たる面の画像が読み取られ、表面と同様に電気信号に変換され、フレームメモリ４０５に一時記憶された後、本体制御部１１１に転送される。
【００４６】
次いで、コントローラ１００は、原稿後端をレジストセンサ４０で検知した時点からの読取モータ１０３のパルスカウントによって、表面および裏面の原稿読み取り領域終了のタイミングを制御する（Ｓ１０９〜Ｓ１２０）。
【００４７】
次いで、原稿は、排紙反転駆動ローラ７１と排紙加圧ローラ７２とからなる排紙ローラ対によりスタック部Ｐ９に排紙される（Ｓ１２１〜Ｓ１２４）。ここで、複数の原稿の連続読み取り時には、原稿排出完了タイミングによらず、次原稿先出しによるレジスト停止動作によって読取モータ１０３の駆動が停止するために、読み取り完了した原稿の排出動作は、次原稿の読み取り開始による読取モータ１０３の駆動再開によって、原稿後端が排紙センサ７０を抜けた時点で本体制御部１１１に排紙完了信号を送信して完了することになる。また、小サイズ原稿のスタック時は、反転部Ｐ８の反転切替爪８０を反転ソレノイド１０５により図２中、破線で示す状態に切り替えて、小サイズ原稿を反転経路８５に搬送し、スイッチバック駆動ローラ８１とスイッチバック従動ローラ８２とからなるスイッチバックローラ対から、小サイズ専用スタッカ９１に排紙される。また、原稿の排紙時に、反転切替爪８０の動作と排紙された原稿後端との同期を取り、原稿が排紙された直後に、反転切替爪８０を反転ソレノイド１０５により図２中、破線方向に回動させ、排紙原稿の後端に当接させて、排紙原稿の後端残りを防止する制御が行われている。
【００４８】
以上が同一サイズ原稿束での片面または、両面原稿における処理の概略である。一方、混載モード時（Ｓ１０１のＹＥＳ）には、異なる長さの原稿が混在し、原稿長さセンサ１２、１４では判別が不可能なために、原稿束１３を１枚ずつに分離した後、原稿後端が原稿束１３から完全に離れた時点でサイズを確定できる。ここで、読み取り前に原稿サイズを確定したい場合は、分離後の最初の原稿後端検知位置から、読み取り前のレジストセンサ位置までの間が、最大原稿長さの１／２以上の長さとなるように設定する。この設定とするためには、原稿セット位置を、コンタクトガラス５４上の読取位置から大きく離す必要があり、原稿テーブル１０と搬送経路を含む部分が大きくなり、装置全体が幅広となる。こうして幅広となることを回避するために、混載モードでは、原稿サイズを読み取りスタート前に確定できない場合、最初の搬送で読み取りを全く行わず、サイズの読み込みだけのために通紙し、反転部Ｐ４を介した２回目の、コンタクトガラス５４上の読取位置通過時に表面と裏面を同時に読み取っている（Ｓ１２５〜Ｓ１８６）。ここで、１回目のレジスト停止までの搬送動作は、同一サイズの原稿の搬送動作と略同じであるが、本体制御部１１１から送信される読み取りスタート信号受信後の動作（特に排出部Ｐ７、スイッチバック部Ｐ８による処理）が異なる。
【００４９】
第２読取搬送部Ｐ６を通過して排紙される時、原稿先端が、排紙反転駆動ローラ７１と排紙加圧ローラ７２とからなる排紙ローラ対のニップを通過する以前に、反転切替爪８０が、反転ソレノイド１０５の駆動により破線方向に移動し(Ｓ１２５)、原稿を反転経路８５に連通するスイッチバック経路側に送り込む。その後、原稿は反転モータ１０４により駆動される上記スイッチバックローラ対により、原稿後端が上記排紙ローラ対を通過するまでスイッチバック搬送される。このスイッチバック搬送の制御は、排紙センサ７０からのパルスカウントにより行われる(Ｓ１３１〜Ｓ１３６)。
【００５０】
次いで、原稿停止後に反転切替爪８０が、反転ソレノイド１０５の駆動で図２中、実線方向に移動し、原稿後端を上反転ローラ８３と排紙反転駆動ローラ７１とのニップ方向に向ける。その後、スイッチバック駆動ローラ８１が反時計方向に逆転し、停止している、排紙反転駆動ローラ７１と上反転ローラ８３とからなる反転ローラ対のニップに原稿端（初期状態から見ると後端になる）を突き当て、原稿先端のスキュー補正動作がなされる(Ｓ１３７〜Ｓ１３９)。その後、上記反転ローラ対が読取モータ１０３の駆動で搬送を開始し、スキュー補正された原稿は、再度反転部Ｐ４を経て第１読取搬送部Ｐ５、第２読取搬送部Ｐ６に搬送され、表裏の読み取りが行われる(Ｓ１４０〜Ｓ１５４)。ここで、原稿は裏と表が反転した状態にあり、読み取り順序は裏が先で表が後の読み取りとなるために、まず裏面ゲートＯＮ信号が送信され（Ｓ１５０）、次いで表面ゲートＯＮ信号が送信される(Ｓ１５４)。これらの信号に基づいて、本体１ａ側で頁順の入れ替え処理が行われる。こうして読み取り動作が完了すると、さらに頁順を整合させるために、再度反転動作を繰り返してから排紙する(Ｓ１７３、Ｓ１７４)。なお、上述したサイズ読み取りのための搬送と、頁合わせのための搬送とは、画像の読み取りを伴わない搬送動作であるために、装置の持つ最速搬送速度をもって実行することにより、搬送時間の短縮が図られている。
【００５１】
次に、図１５を用いて本体１ａ側におけるコンタクトガラス５４の交換時期報知動作を説明する。
【００５２】
まず、本体制御部１１１は、コーティング処理済みのコンタクトガラス５４をホームポジション（図５に示す初期位置）に移動させる（Ｓ２０１）。具体的には、ラックセンサ３０３がオン状態にあるとき、ピニオン駆動モータ３０７を駆動してピニオン３００を図５中、時計方向に回転させ、ラック３０１を搬送方向に移動させる。この移動により、ラックセンサ３０３がオフ状態となってから、ピニオン駆動モータ３０７を逆転駆動してピニオン３００を図５中、反時計方向に回転させ、ラック３０１を搬送方向と反対方向に移動させる。この移動により、ラックセンサ３０３がオフ状態からオン状態に切り替わってから、ピニオン駆動モータ３０７を所定パルス分、逆転駆動してピニオン３００を図５中、反時計方向に回転させ、ラック３０１を搬送方向と反対方向に所定量移動させる。この所定量の移動により、コンタクトガラス５４は初期位置（第１の接触領域）に位置することとなる。ここで、本体制御部１１１は、上述したカウンタを初期化する。この初期化により、第１のカウント値、第２のカウント値とも「０」となる。
【００５３】
次いで、本体制御部１１１は、コンタクトガラス５４に対する原稿の接触回数が交換すべき接触回数に達したか否かを判断する（Ｓ２０２）。具体的には、原稿によりコーディング剤が削り取られて、コーディング剤が作用しなくなる程度の接触回数（例えば、３００００回）を「交換すべき接触回数」とし、全ての接触領域での接触回数の合計が３００００回に達したか否かを、上述した第２のカウント値を参照して判断する。例えば、幅２mmの接触領域（コンタクトガラス５４上の読取位置を含む）が３箇所設定され、第１のカウント値ｔが１００００回目になるときにリセットされ、第２のカウント値ｎが１カウントアップされるようにしたとき、第２のカウント値が「３」であるか否かを判断する。この判断がＹＥＳの場合はＳ２０５に移り、ＮＯの場合はＳ２０３に移る。
【００５４】
Ｓ２０３において、本体制御部１１１は、コンタクトガラス５４に対する原稿の接触回数が移動すべき接触回数に達したか否かを判断する。具体的には、１箇所の接触領域で、原稿によりコーディング剤が削り取られて、コーディング剤が作用しなくなる程度の接触回数を「移動すべき接触回数」とし、１箇所の接触領域での接触回数が上記１００００回に達したか否かを、上述した第１のカウント値ｔ、第２のカウント値ｎを参照して判断する。ここでは、ｎ＝１又はｎ＝２、かつｔ＝０であるか否かを判断する。この判断がＹＥＳの場合はＳ２０４に移り、ＮＯの場合はＳ２０２に移る。
【００５５】
Ｓ２０４において、本体制御部１１１は、ピニオン駆動モータ３０７を駆動してピニオン３００を図５中、時計方向に回転させ、ラック３０１を搬送方向に移動させる。この移動により、ラックセンサ３０３がオフ状態となってから、ピニオン駆動モータ３０７を逆転駆動してピニオン３００を図５中、反時計方向に回転させ、ラック３０１を搬送方向と反対方向に移動させる。この移動により、ラックセンサ３０３がオフ状態からオン状態に切り替わってから、ピニオン駆動モータ３０７を所定パルス分、逆転駆動してピニオン３００を図５中、反時計方向に回転させ、ラック３０１を搬送方向と反対方向に所定量移動させる。この所定量の移動により、コンタクトガラス５４は当該接触領域（ここでは、第２又は第３の接触領域に相当する）に位置することとなる。具体的には、上述したように幅２mmの接触領域を３箇所設定しているために、ｎ＝１かつｔ＝０のときは、ラックセンサ３０３を一旦オフ状態とした後、第１の接触領域から第１の接触領域に隣接する第２の接触領域へ移動させ、ｎ＝２かつｔ＝０のときは、ラックセンサ３０３を一旦オフ状態とした後、初期位置から第２の接触領域に隣接する第３の接触領域へ移動させる。例えば、第１の接触領域から第２の接触領域へ移動させるときは、少なくとも２mm以上移動させれば、再び、コーティングが残っているコンタクトガラス５４上の読取位置（接触領域に含まれる）に移動させることができる。
【００５６】
Ｓ２０５において、本体制御部１１１は、操作表示部１１３に「コンタクトガラス５４の交換時期である旨」を表示させる。この表示により、使用者に対してコンタクトガラス５４の交換時期を報知し、交換作業を促すこととなる。
【００５７】
この後、本体制御部１１１は、コンタクトガラス５４の交換が完了したか否かを判断する（Ｓ２０６）。具体的には、ガラス交換完了時に、使用者又はサービスマンなどが操作表示部１１３の交換完了通知ボタン（図示せず）を押下するようにしているので、本体制御部１１１は交換完了通知ボタンの押下を示す操作表示部１１３からの信号を受信したか否かを判断する。この判断がＹＥＳの場合はＳ２０１に移り、ＮＯの場合はＳ２０５に移る。
【００５８】
このような本発明の実施の一形態に係る画像読取装置としてのディジタル複写機１によれば、コーティング剤によって表面が被覆されたコンタクトガラス５４と、コンタクトガラス５４上に原稿を搬送する搬送手段としてのＡＤＦ３と、コンタクトガラス５４の下方から原稿の画像を読み取る読取手段としてのスキャナ１２１と、コンタクトガラス５４を移動する移動手段としての移動機構（ラックセンサ３０３、ラック３０１、ピニオン３００、ピニオン駆動モータ３０７などに相当する）と、を備え、スキャナ１２１を固定して、コンタクトガラス５４上に原稿を搬送しながら原稿の画像を読み取るとき、コンタクトガラス５４と原稿とが、予めコンタクトガラス５４上に設定された複数の接触領域のいずれかで接触するようにし、コンタクトガラス５４と原稿とが接触して接触領域のコーティング剤が払拭されたとき、コンタクトガラス５４と原稿とが当該接触領域を除く、複数の接触領域のいずれかで接触するよう、上記移動機構を制御する移動制御手段としての本体制御部１１１を設けることにより、スキャナ１２１の読取位置に対応する接触領域を順次変更してコーティングによる粘着系異物の付着防止効果を持続させることができる。なお、本実施形態によれば、単純に、原稿のコンタクトガラス５４への接触力を弱めたり、原稿とコンタクトガラス５４を接触させずに搬送する構成を採用していないために、浮遊系異物を除去する力が低減せず、コンタクトガラスに付着、滞留した浮遊系異物を原稿によって払拭するワイピング効果が得られる（図１６に示す）。図１６において、（ａ）は搬送方向上流側の加圧ローラ４１を通って原稿がコンタクトガラス５４上に進入する様子を示し、（ｂ）は原稿とコンタクトガラス５４とが強く接触する、スキャナ１２１の読取位置に対応する接触箇所（接触領域に相当する）にあった浮遊系異物を払拭した様子を示し、（ｃ）は原稿が接触箇所から搬送方向下流側に搬送される様子を示している。よって、浮遊系異物の付着、粘着系異物の付着の双方に起因する画像劣化（例えば、黒スジ、白スジなど）を防ぐことができる。この構成は、請求項１に係る発明の実施の一形態である。
【００５９】
また、本実施形態によれば、コンタクトガラス５４と原稿との接触回数を計数する計数手段としてのカウンタ（第１カウンタ、第２カウンタに相当する）を備え、このカウンタによって計数された接触回数により、本体制御部１１１が上記移動機構を制御してコンタクトガラス５４を移動させるようにしたことにより、例えば、コンタクトガラス５４の使用時間によって移動させる構成に比べ、筐体スペースによる移動量の制限、コーティング剤の種類、読取対象の原稿に応じてコーティング剤が払拭されたか否かを適確に判断することができる。この構成は、請求項２に係る発明の実施の一形態である。
【００６０】
また、本実施形態によれば、計数手段としてのカウンタには、一の接触領域における接触回数ｔを計数する第１の計数手段としての第１カウンタと、第１カウンタの計数結果を用いて移動回数ｎを計数する第２の計数手段としての第２カウンタと、を設けることにより、接触領域の数と接触回数とによる移動回数ｎから、コンタクトガラス５４の交換時期を簡単に判断することができる。この構成は、請求項３に係る発明の実施の一形態である。
【００６１】
また、本実施形態によれば、コンタクトガラス５４の移動量が、コンタクトガラス５４と原稿との移動前の接触領域と移動後の接触領域とが重畳しないように設定されたことにより、コーティングが払拭されてコーティングによる異物付着防止作用が期待できないとき、コンタクトガラス５４を、原稿がコーティング剤を削りとる幅と同等かそれより大きく移動させ、コーティング剤が残っている領域に原稿を確実に接触させることができる。この構成は、請求項４に係る発明の実施の一形態である。
【００６２】
また、本実施形態によれば、コンタクトガラス５４の交換時期を報知する報知手段としての操作表示部１１３と、コンタクトガラス５４と原稿との接触回数が、複数の接触領域の全てで所定の回数に達したとき、操作表示部１１３を制御してコンタクトガラス５４の交換時期を報知させる報知制御手段としての本体制御部１１１と、を設けることにより、使用者に対してコンタクトガラス５４の交換を促し、黒スジ等の画像劣化防止効果をさらに持続させることができる。この構成は、請求項５に係る発明の実施の一形態である。
【００６３】
さらに、本発明の実施の一形態に係る画像形成装置としてのディジタル複写機１によれば、画像読取手段としてのＡＤＦ３、スキャナ１２１、コンタクトガラス５４の移動機構（ラックセンサ３０３、ラック３０１、ピニオン３００、ピニオン駆動モータ３０７など）を設けることにより、上述したように浮遊系異物、粘着系異物双方の付着を低減してコンタクトガラス５４の保守性を向上させるので、画像品質の低下を防止することができる。この構成は、請求項６に係る発明の実施の一形態である。
【００６４】
なお、上述した実施形態では、３箇所の接触領域を有するコンタクトガラス５４を用いた場合について説明したが、本発明はこのほかに、２箇所又は４箇所以上の接触領域を設定しても同様の効果が得られるものである。このように接触領域を設定するのは、ディジタル複写機１の筐体のスペースにより、コンタクトガラス５４の移動距離には限界があることによる。
【００６５】
また、上述した実施形態では、コンタクトガラス５４の移動機構としてラック３０１、ピニオン３００を用いた場合について説明したが、本発明はこのほかに、回転カムなどを用いても同様の効果が得られるものである。
【００６６】
また、上述した実施形態では、コンタクトガラス５４を移動して接触領域を変更するとき、隣接する接触領域へ順次移動するようにした場合について説明したが、本発明はこのほかに、例えば、第１の接触領域から第３の接触領域へというように隣接しない接触領域へ移動するようにしても同様の効果が得られるものである。
【００６７】
また、上述した実施形態では、接触回数として「ＡＤＦ３における接触領域近傍のセンサ通過回数」を用いた場合について説明したが、本発明はこのほかに、操作表示部１１３によるモード設定で、片面モードが設定されたときは原稿１枚について接触回数を１回とし、同じく両面モードが設定されたときには２回又は３回として計算しても同様の効果が得られるものである。
【産業上の利用可能性】
【００６８】
以上のように、本発明に係る画像読取措置は、コンタクトガラスと原稿とが接触してコーティング剤が払拭されたとき、コンタクトガラスを複数の接触領域のいずれかに移動させるよう、移動手段（移動機構に相当する）を制御する移動制御手段（本体制御部に相当する）を設けることにより、コーティング剤が粘着系異物の付着を防止するという作用を持続できるという効果を有し、ファクシミリ、スキャナ、コピー機、複合機などに適用される画像読取装置および画像形成装置などとして有用である。
【図面の簡単な説明】
【００６９】
【図１】本発明の実施の一形態に係るディジタル複写機の構成を示す断面図である。
【図２】本発明の実施の一形態に係る自動原稿搬送装置の構成を示す断面図である。
【図３】本発明の実施の一形態に係るディジタル複写機本体の要部を示す分解図である。
【図４】本発明の実施の一形態に係るディジタル複写機本体の要部を示す断面図（主走査方向）である。
【図５】本発明の実施の一形態に係るディジタル複写機本体の要部を示す断面図（副走査方向）である。
【図６】本発明の実施の一形態に係るディジタル複写機の制御部のブロック図である。
【図７】本発明の実施の一形態に係る自動原稿搬送装置における密着イメージセンサのブロック図である。
【図８】本発明の実施の一形態に係る自動原稿搬送装置の読み取り搬送動作を示すフローチャートの一部（その１）である。
【図９】本発明の実施の一形態に係る自動原稿搬送装置の読み取り搬送動作を示すフローチャートの一部（その２）である。
【図１０】本発明の実施の一形態に係る自動原稿搬送装置の読み取り搬送動作を示すフローチャートの一部（その３）である。
【図１１】本発明の実施の一形態に係る自動原稿搬送装置の読み取り搬送動作を示すフローチャートの一部（その４）である。
【図１２】本発明の実施の一形態に係る自動原稿搬送装置の読み取り搬送動作を示すフローチャートの一部（その５）である。
【図１３】本発明の実施の一形態に係る自動原稿搬送装置の読み取り搬送動作を示すフローチャートの一部（その６）である。
【図１４】本発明の実施の一形態に係る自動原稿搬送装置の読み取り搬送動作を示すフローチャートの一部（その７）である。
【図１５】本発明の実施の一形態に係るコンタクトガラスの交換時期報知動作を示すフローチャートである。
【図１６】本発明の実施の一形態に係るディジタル複写機におけるコンタクトガラス上の異物除去作用の説明図である。
【符号の説明】
【００７０】
１  ディジタル複写機
３  自動原稿搬送装置（ＡＤＦ）
４２  読取入口ガイド
５４  コンタクトガラス
１１１  本体制御部
１１３  操作表示部
１２１  スキャナ
３００  ピニオン
３０３  ラックセンサ
３０４  ブラケット
３０５  スケール部材
３０６  位置止めピン
３０７  ピニオン駆動モータ
【図１】
2005260547.tif 000003
【図２】
2005260547.tif 000004
【図３】
2005260547.tif 000005
【図４】
2005260547.tif 000006
【図５】
2005260547.tif 000007
【図６】
2005260547.tif 000008
【図７】
2005260547.tif 000009
【図８】
2005260547.tif 000010
【図９】
2005260547.tif 000011
【図１０】
2005260547.tif 000012
【図１１】
2005260547.tif 000013
【図１２】
2005260547.tif 000014
【図１３】
2005260547.tif 000015
【図１４】
2005260547.tif 000016
【図１５】
2005260547.tif 000017
【図１６】
2005260547.tif 000018